(57)【要約】【課題】集音する音に指向性を持たせられるとともに小型化（特に薄型化）が可能な携帯電話端末を提供する。【解決手段】携帯電話端末に２つの無指向性型マイクＡ，Ｂを距離ｄだけ隔てて設け、一方のマイクＢの出力音声信号を距離ｄに応じた時間Ｔ＝ｄ／ｖ（ｖは音速）だけ遅延させた信号を、他方のマイクＡの出力音声信号から差し引く。マイクＡは第１筐体の左上部に配置し、マイクＢをこれと対角の位置である第１筐体右下部に配置する。【選択図】図２
2009010593.tif 000002
【特許請求の範囲】
【請求項１】
音を集音して音声信号に変換する無指向性型のマイクであって互いに所定の距離だけ離れて配置された２つのマイクと、
前記２つのマイクのうち一方のマイクからの音声信号を前記所定の距離に応じた時間分遅延させ、該遅延させられた音声信号ともう一方のマイクからの音声信号との差を演算して出力する音声処理部と、
前記音声処理部から出力される音声信号を通信相手の携帯通信端末に送信する通信手段と、
を備えることを特徴とする携帯通信端末。
【請求項２】
前記２つのマイクは、人の声の周波数帯域に対応した距離だけ離れて配置されたことを特徴とする請求項１に記載の携帯通信端末。
【請求項３】
前記２つのマイクが第１の筐体に設けられて、該第１の筐体に対して第２の筐体がこれら２つの筐体を結ぶ軸の回りに回動可能に取り付けられており、
前記第１の筐体と前記第２の筐体が回動したことを検知する検知手段と、
前記検知手段により前記２つの筐体の回動が検知された場合に、前記音声処理部を作動させる制御手段と、
を備えることを特徴とする請求項１または請求項２に記載の携帯通信端末。
【請求項４】
前記２つのマイクが第１の筐体に設けられて、該第１の筐体に対して第２の筐体がこれら２つの筐体を結ぶ軸の回りに回動可能に取り付けられており、
前記第１の筐体と前記第２の筐体が回動したことを検知する検知手段と、
前記検知手段により前記２つの筐体の回動が検知されたことに応じて、前記音声処理部において遅延を与える音声信号を一方のマイクからの音声信号から他方のマイクからの音声信号へ切り替える制御手段と、
を備えることを特徴とする請求項１または請求項２に記載の携帯通信端末。
【発明の詳細な説明】
【技術分野】
【０００１】
本発明は携帯通信端末に関するものであり、特にマイクで集音する通話音声の雑音を除去する携帯通信端末に関する。
【背景技術】
【０００２】
携帯通信端末は屋外で使用されることが多く、周囲に雑音源が存在する環境下でも使用される。そのため、雑音を除去して通話者の音声だけをクリアに捉え、快適な通話を実現する機能を携帯通信端末に搭載することが求められる。
【０００３】
従来、このような機能を備えた携帯通信端末としては、一次音圧傾度型マイクにより集音する音に指向性を持たせるようにしたものが知られている（特許文献１参照）。一次音圧傾度型を始めとする指向性マイクは、通常、１つの無指向性マイクを一方に開口を有したケースの該開口と反対側の底部に設置して構成される。そして、このマイクの一方の面により開口部を経て到達する音が捉えられ、他方の面により底部を介して直接到達する音が捉えられるが、この２つの経路により伝わる音は、ケースの開口部を音の到来方向に向けた場合とそうでない場合とで、到達するタイミングのずれに違いを生じることとなる。マイクは、このずれに起因する音圧差が開口部を向けた方向によって変化することを利用して、指向性を作り出している。
【特許文献１】特開２００２−１３５８８０号公報
【発明の開示】
【発明が解決しようとする課題】
【０００４】
しかしながら、上記のような指向性マイクは、その構造上、ケース開口部と底部との間に所定の大きさの空間が必要であるため、小型化するのが難しく、特に近年薄型化が著しい携帯通信端末に搭載するのには適していないという問題がある。
本発明は上記の点に鑑みてなされたものであり、その目的は、集音する音に指向性を持たせられるとともに小型化（特に薄型化）が可能な携帯通信端末を提供することにある。
【課題を解決するための手段】
【０００５】
本発明は上記の課題を解決するためになされたものであり、音を集音して音声信号に変換する無指向性型のマイクであって互いに所定の距離だけ離れて配置された２つのマイクと、前記２つのマイクのうち一方のマイクからの音声信号を前記所定の距離に応じた時間分遅延させ、該遅延させられた音声信号ともう一方のマイクからの音声信号との差を演算して出力する音声処理部と、前記音声処理部から出力される音声信号を通信相手の携帯通信端末に送信する通信手段と、を備えることを特徴とする携帯通信端末を提供する。
【０００６】
この発明において、携帯通信端末に２つの無指向性型マイクを距離ｄだけ隔てて設け、一方のマイク（マイクＢとする）の出力音声信号を距離ｄに応じた時間Ｔ（例えばｖを音速（≒３４０ｍ／ｓ）としてＴ＝ｄ／ｖ）だけ遅延させた信号を、他方のマイク（マイクＡとする）の出力音声信号から差し引く音声処理を行うようにした。マイクＢの方向（マイクＢから見てマイクＡと反対の方向）からやって来る音は、まずマイクＢで集音され、時間Ｔ（＝ｄ／ｖ）経過後にマイクＡで集音されるから、マイクＡからの音声信号はマイクＢからの音声信号に対して時間Ｔだけ遅延を生じている。このとき、上記音声処理によって、マイクＢからの音声信号は遅延Ｔを与えられてマイクＡからの音声信号と同期したものとなり、この２つの音声信号の差がとられる結果、音声処理後の出力信号はゼロになる。一方、マイクＡの方向（マイクＡから見てマイクＢと反対の方向）からやって来る音は、まずマイクＡで集音され、時間Ｔ（＝ｄ／ｖ）経過後にマイクＢで集音されるから、マイクＢからの音声信号の方がマイクＡからの音声信号に対して時間Ｔだけ遅延を生じている。このとき、上記音声処理によって、マイクＢからの音声信号に更に遅延Ｔが与えられるから、マイクＡとＢからの音声信号は同期したものとならず、この２つの音声信号の差がとられる結果、音声処理後の出力信号はゼロにはならない。
【０００７】
このように、所定の距離隔てた２つの無指向性型マイクの一方からの出力音声信号に遅延をかけた上で、両マイクの出力音声信号の差をとることによって、当該遅延をかける方のマイク（上記マイクＢ）の方向からの音をキャンセルさせ（この方向を非目的方向と称する）、その反対方向からの音の音圧はそのまま維持する（この方向を目的方向と称する）ことができる。任意の方向からの音に対してその音圧がどのようになるかの詳細例は、後述の図３に示すとおりである。
【０００８】
したがって、本発明によれば、携帯通信端末から見て所定方向、即ち遅延をかける方のマイクの方向からの音をキャンセルさせることができ、集音する音に指向性を持たせることができる。これにより、上記方向（非目的方向）を雑音方向に向けることで、雑音を除去して通話者の音声（非目的方向と異なる方向から来る音）をクリアに捉えることができる。そして、本発明で用いるマイクは単体としては無指向性型のものであるため、上述した従来用いられる指向性マイクと異なって小型であり、携帯通信端末に集音する音の指向性を持たせつつも携帯通信端末を小型化、特に薄型化することが可能である。なお、本発明に係る携帯通信端末は、薄型化を考慮して、上記２つのマイクは筐体の長手方向あるいは短手方向に（つまり筐体の厚さ方向でなく）所定の距離だけ離して配置することが好ましい。
【０００９】
本発明はまた、上記の携帯通信端末において、前記２つのマイクは、人の声の周波数帯域に対応した距離だけ離れて配置されたことを特徴とする。
【００１０】
上述した遅延付与と差分演算の音声処理を行う場合、目的方向から来る音に対して音声処理した後の音声信号の音圧は、２つのマイク間の距離ｄに応じた周波数特性を持つようになる。そこで、目的方向からの音を音声処理した後の音声信号の音圧が、人の声の周波数帯域において高いレベルを保つようにマイク間距離ｄを決めることで、目的方向から話者の声を効率良く集音することができるようになる。
【００１１】
本発明はまた、上記の携帯通信端末において、前記２つのマイクが第１の筐体に設けられて、該第１の筐体に対して第２の筐体がこれら２つの筐体を結ぶ軸の回りに回動可能に取り付けられており、前記第１の筐体と前記第２の筐体が回動したことを検知する検知手段と、前記検知手段により前記２つの筐体の回動が検知された場合に、前記音声処理部を作動させる制御手段と、を備えることを特徴とする。
【００１２】
この発明において、通話者が携帯通信端末で通話をする際に、第１の筐体と第２の筐体とを回動させると、音声処理部が作動して非目的方向からの雑音がキャンセルされる。それとともに、第１の筐体と第２の筐体との回動の具合を調整して、２つのマイクの配置で決まる上記の目的方向を自分の口元に向けるようにすることができる。したがって、この発明によれば、雑音のキャンセルと話者の声の効率良い集音とを同時に達成することが可能である。
【００１３】
本発明はまた、上記の携帯通信端末において、前記２つのマイクが第１の筐体に設けられて、該第１の筐体に対して第２の筐体がこれら２つの筐体を結ぶ軸の回りに回動可能に取り付けられており、前記第１の筐体と前記第２の筐体が回動したことを検知する検知手段と、前記検知手段により前記２つの筐体の回動が検知されたことに応じて、前記音声処理部において遅延を与える音声信号を一方のマイクからの音声信号から他方のマイクからの音声信号へ切り替える制御手段と、を備えることを特徴とする。
【００１４】
この発明において、通話者が携帯通信端末で通話をする際に、第１の筐体と第２の筐体とを一方向に回動させると一方のマイクの出力音声信号に遅延が与えられ、第１の筐体と第２の筐体とを逆方向に回動させると他方のマイクの出力音声信号に遅延が与えられる。このように第１の筐体と第２の筐体の回動によって遅延を与えるマイクを切り替えることにより、目的方向と非目的方向との切り替えが行われる。例えば、通話者が携帯通信端末を右耳に当てた場合と左耳に当てた場合とでは筐体の回動方向は反対となるが、これに合わせて目的方向と非目的方向を切り替えることにより、どちらの場合にも話者の声の効率良い集音と雑音のキャンセルとが実現可能となる。
【発明の効果】
【００１５】
本発明によれば、集音する音に指向性を持たせつつ携帯通信端末を小型化、特に薄型化することができる。
【発明を実施するための最良の形態】
【００１６】
以下、図面を参照しながら本発明の実施形態について詳しく説明する。
図１は、本発明の第１の実施形態による携帯電話端末の外観図である。この携帯電話端末はいわゆる折畳み型の携帯電話端末であって、第１筐体１０１と、第２筐体１０２と、ヒンジ部１０３とから構成される。第１筐体１０１は、操作キー１０４等が設けられた側の筐体であり、第２筐体１０２は、液晶ディスプレイ１０５等が設けられた側の筐体である。第１筐体１０１と第２筐体１０２とは、ヒンジ部１０３を介して折畳み軸Ｙの周りに回転して折り畳むことができるとともに、ヒンジ部１０３を介して回動軸Ｚの周りに回動することができるようになっている。
【００１７】
第１筐体１０１には、２つのマイク、マイクＡとマイクＢが設けられる。マイクＡとマイクＢの取り付け位置は、マイクＡＢ間の距離ｄが後述する所定の範囲内の距離となっていれば、任意とすることができる。例えば、図１（ａ）では、マイクＡを第１筐体１０１の左上部に配置し、マイクＢをこれと対角の位置である筐体右下部に配置するようにしている。この配置の場合、次に説明するように、マイクＡが設けられている図の左上方向が目的方向となり、マイクＢが設けられている図の右下方向が非目的方向となる。ここで、非目的方向とは、本携帯電話端末において、その方向からの音が除去される方向のことであり、目的方向とは、非目的方向と反対の方向であって最も高い音圧で音を集音できる方向のことである。
【００１８】
マイクＡ，Ｂの配置は、図１（ｂ）に示すように、携帯電話端末に対して左右対称に、即ち第１筐体１０１の短手方向（折畳み軸Ｙに平行な方向）に２つのマイクが平行に並ぶように配置することもできる。また、図示していないが、２つのマイクＡとＢは、第１筐体１０１の長手方向（回動軸Ｚに平行な方向）に平行に並ぶように配置してもよい。
より一般的には、筐体の大きさや通話時に保持される筐体間の角度、目的方向と通話者の口元の位置関係などを考慮して、２つのマイクＡ，Ｂは上記長手方向と短手方向の面内で自由に配置することができる。
【００１９】
なお、マイクＡ，Ｂを設置する面は、図１において、操作キー１０４が設けられている面の部分でもよいし、側面（操作キー１０４の面と接する面）の部分でもよいし、背面（操作キー１０４の面と反対側の面）の部分でもよい。
【００２０】
図２は、上記携帯電話端末の内部構成を示すブロック図である。この携帯電話端末１Ａは、マイクＡ（符号１１）と、マイクＢ（符号１２）と、遅延付与部２１と、差分演算部３０と、通信手段４０とを有する。以下の説明では、本発明に関係の無い通常の電話機としての機能に関しては、その説明を省略する。
【００２１】
マイクＡとマイクＢは、無指向性型のマイクであって、あらゆる方向からの音を集音してこれを音声信号に変換し出力する。このマイクＡ，Ｂには、例えば小型マイクとして知られるシリコンマイクを用いることができる。マイクＡからの音声信号は、そのまま差分演算部３０へ入力され、マイクＢからの音声信号は、遅延付与部２１を介して差分演算部３０へ入力される。
【００２２】
遅延付与部２１は、マイクＢからの音声信号を所定時間だけ遅延させて出力する。差分演算部３０は、遅延付与部２１から出力される、遅延させられたマイクＢからの音声信号と、マイクＡから直接入力される音声信号との差を演算し、その結果の音声信号を通信手段４０へ出力する。この差分演算では、マイクＡからの音声信号から、上記の遅延させられたマイクＢからの音声信号を差し引くものとする。通信手段４０は、差分演算部３０から出力される音声信号に所定の変調処理、符号化処理等を施して、この音声信号を無線信号により通話相手先の携帯電話端末へ送信する。
【００２３】
遅延付与部２１により与える遅延量は、マイクＡＢ間の距離ｄに応じた値に設定する。ここでは、この遅延量Ｔを、音速をｖとしてＴ＝ｄ／ｖに設定するものとする。図２において、図左側の非目的方向（マイクＢ（遅延を与えるマイク）から見てマイクＡ（もう一方のマイク）と反対の方向）からの音は、まずマイクＢで集音され、マイクＢＡ間を伝搬して時間Ｔ＝ｄ／ｖ経過後にマイクＡで集音される。そのため、マイクＡからの音声信号は、マイクＢからの音声信号に対して時間Ｔだけ遅延を生じている。上記の遅延量Ｔが設定された遅延付与部２１において、マイクＢからの音声信号に遅延が与えられると、差分演算部３０へ入力される２つの音声信号は同期する。この結果、差分演算部３０の出力はゼロになる。また、図２右側の目的方向（マイクＡから見てマイクＢと反対の方向）からの音は、まずマイクＡで集音され、マイクＡＢ間を伝搬して時間Ｔ＝ｄ／ｖ経過後にマイクＢで集音される。そのため、マイクＢからの音声信号の方が、マイクＡからの音声信号に対して時間Ｔだけ遅延を生じている。上記の遅延量Ｔが設定された遅延付与部２１において、マイクＢからの音声信号に更に遅延Ｔが与えられる結果、差分演算部３０へ入力される２つの音声信号は同期せず、差分演算部３０からはマイクＡからの音声信号が出力される。
【００２４】
目的方向と非目的方向の他のあらゆる方向からの音に対して、差分演算部３０から出力される音声信号の音圧がどのように変化するかの一例を図３に示す。同図において、目的方向が０°であり、非目的方向が１８０°である。同図から分かるように、目的方向から非目的方向へ音の到来方向が変わるにつれて、差分演算部３０から出力される音声信号の音圧は減少していく。
【００２５】
このように、遅延付与部２１と差分演算部３０による音声処理によって、非目的方向の音がキャンセルされ目的方向の音を感度良く捉えられる指向性を有するマイク特性が実現される。
【００２６】
図４は、通話者が携帯電話端末を持って通話をする際の携帯電話端末と通話者の顔との位置関係を説明する図である。同図において、通話者は、右手で携帯電話端末の第１筐体１０１を持ち、第２筐体１０２のスピーカ部（図示せず）を右耳に当てている。この状況で、第１筐体１０１は第２筐体１０２に対し、回動軸Ｚを中心として第２筐体１０２側から見て左回りにある角度だけ回動した状態に保持される。このとき、この携帯電話端末が図１（ａ）に示された位置にマイクＡ，Ｂが取り付けられたものであるとすると、第１筐体１０１の左上部に配置されたマイクＡは通話者の口元付近に位置し、第１筐体１０１の右下部に配置されたマイクＢは通話者の口元とは反対の方向、例えば通話者の前方下方向を向く。即ち、目的方向が通話者の口元の方向となり、非目的方向が前方下方向となる。このような位置関係で通話を行うと、非目的方向とされた前方下方向からの雑音がキャンセルされ、目的方向からの通話者の声が感度良く捉えられることになる。
なお、筐体間の回動角度を調整して非目的方向を変えることもできる。これにより、非目的方向を雑音のより多い方向に向け、効果的に雑音を除去することも可能である。
【００２７】
図５は、目的方向からの音に対して、差分演算部３０から出力される音声信号の周波数特性を示したものである。周波数特性は、マイクＡＢ間の距離ｄに依存したものとなり、同図（ａ）はｄ＝９ｃｍ、同図（ｂ）はｄ＝３ｃｍ、同図（ｃ）はｄ＝１ｃｍの場合をそれぞれ示す。これらの図において、横軸は音声の周波数、縦軸は差分演算部３０から出力される音声信号の音圧レベルを表している。図中、縦の点線で示される周波数は、最大音圧が得られる周波数ｆ０である。この周波数ｆ０は、ｆ０＝ｖ／４ｄで与えられる。例えば同図（ｂ）のｄ＝３ｃｍの場合、ｆ０＝２．８ｋＨｚと計算される。
【００２８】
図５において（ａ）〜（ｃ）の各周波数特性は、周波数ｆ０より低周波領域では出力音声信号の音圧はなだらかに減少し、周波数ｆ０を超えると出力音声信号の音圧は急激に落ち込む様相を呈する。また、マイクＡＢ間の距離ｄを短くすると周波数ｆ０は高周波数側へシフトする。ここで、目的方向から捉えるべき音声は人の声であり、通常、人の声の場合には十数Ｈｚ〜５ｋＨｚ程度の範囲の周波数帯域でＳＮ比がとれることが望まれる。このことから、マイクＡＢ間の距離ｄは、３ｃｍ程度とするのが好ましい。
【００２９】
次に、本発明の他の実施形態による携帯電話端末について説明する。
図６は、本発明の第２の実施形態による携帯電話端末の内部構成を示すブロック図である。この携帯電話端末１Ｂは、上述した図２の携帯電話端末１Ａに、回動検知部５０と、制御部６０とを追加して設けた構成のものである。回動検知部５０および制御部６０以外の部分の機能、動作は図２の携帯電話端末１Ａと同じであるので、説明は省略する。
【００３０】
回動検知部５０は、第１筐体１０１と第２筐体１０２とが、所定の初期状態における筐体間の相対的な角度（回動軸Ｚ周りの角度）を基準角度として、この基準角度から回動したことを検知し、回動を検知したことを示す検知信号を制御部６０へ出力する。初期状態は、例えば、第１筐体１０１の操作キー１０４の面と第２筐体１０２の液晶ディスプレイ１０５の面とが同一面となった状態とすることができる。
【００３１】
制御部６０は、回動検知部５０からの検知信号に従って遅延付与部２１と差分演算部３０を制御する。具体的に、検知信号が入力されない場合、制御部６０は、遅延付与部２１に遅延処理を停止させることによりマイクＢからの音声信号を何も処理せずにそのまま差分演算部３０へ出力するようにするとともに、差分演算部３０においてマイクＡからの音声信号を遮断させることにより差分演算部３０から通信手段４０へはマイクＢからの音声信号が出力されるようにする。そして、検知信号が入力された場合にのみ、制御部６０は遅延付与部２１と差分演算部３０に第１の実施形態と同様の処理を行わせる。
【００３２】
このような携帯電話端末を用いて通話を行う際、通話者は、例えば、周囲の雑音が大きくない場合は第１筐体１０１と第２筐体１０２を回動させることなくこの携帯電話端末を使用する。この場合、回動検知部５０から検知信号は発せられず、遅延付与部２１において遅延処理は行われないため、マイクＢで捉えた音から雑音は除去されない。また、例えば、通話者は、周囲の雑音が大きい場合には第１筐体１０１と第２筐体１０２を回動させてこの携帯電話端末を使用する。この場合、回動検知部５０から検知信号が出力されて、これを受け制御部６０が遅延付与部２１と差分演算部３０を動作させることにより、非目的方向からの雑音が除去される。筐体間の回動角度を調整して、非目的方向を雑音のより多い方向に向ければより効果的である。
【００３３】
図７は、本発明の第３の実施形態による携帯電話端末の内部構成を示すブロック図である。この携帯電話端末１Ｃは、上述した図６の携帯電話端末１Ｂに、遅延付与部２２を更に追加して設けた構成のものである。遅延付与部２２、回動検知部５０、および制御部６０以外の部分の機能、動作は図６の携帯電話端末１Ｂと同じであるので、その説明は省略する。
【００３４】
遅延付与部２２は、マイクＡからの音声信号を所定時間だけ遅延させて出力する。その遅延量は、遅延付与部２１と同じに設定されている。
回動検知部５０は、第１筐体１０１と第２筐体１０２とが、所定の初期状態における筐体間の相対的な角度（回動軸Ｚ周りの角度）を基準角度として、この基準角度からどちらの向き（回動軸Ｚの周りを第２筐体１０２側から見て右回りか左回りか）に回動したかを検知し、回動方向を示す検知信号を制御部６０へ出力する。なお、初期状態は上述と同じである。
【００３５】
制御部６０は、回動検知部５０からの検知信号に従って遅延付与部２１と遅延付与部２２を制御する。具体的に、例えば、回動方向が左回りであることを示す検知信号が入力された場合、制御部６０は、遅延付与部２２によるマイクＡからの音声信号に対する遅延処理を停止させるとともに、遅延付与部２１にマイクＢからの音声信号に対する遅延処理を行わせる。また、回動方向が右回りであることを示す検知信号が入力された場合は、遅延付与部２１によるマイクＢからの音声信号に対する遅延処理を停止させるとともに、遅延付与部２２にマイクＡからの音声信号に対する遅延処理を行わせる。
【００３６】
こうして、制御部６０の制御によって、第１筐体１０１と第２筐体１０２との回動方向に応じ、マイクＡからの音声信号に遅延を与えるかマイクＢからの音声信号に遅延を与えるかが切り替えられる。そしてその結果として、目的方向と非目的方向とが、筐体間の回動方向を変えることで入れ替わることとなる。
【００３７】
このような携帯電話端末を用いて通話を行う際の動作を説明する。この携帯電話端末の２つのマイクの配置は、図１（ｂ）のようであるとする。
通話者は、例えば、携帯電話端末を右手に持って使用する場合に、第１筐体１０１を第２筐体１０２に対し左回りに回動させる。このとき、制御部６０の制御により、遅延が与えられるのはマイクＢからの音声信号になり、マイクＡの方向が目的方向となる。ここで筐体の回動によって、マイクＡが設けられている第１筐体１０１の左側側面が通話者の口元の方に向けられているため（図４参照）、目的方向が通話者の口方向、非目的方向が通話者の口から離れた方向となる。これにより、通話者の口から離れた方向からの雑音が除去されるとともに、通話者の声を感度良く捉えることができる。
【００３８】
通話者が携帯電話端末を左手に持ち、第１筐体１０１を第２筐体１０２に対し右回りに回動させて使用する場合には、上記とは逆に、マイクＡからの音声信号に遅延が与えられて、マイクＢの方向が目的方向となる。そして、この場合は、筐体の回動により、マイクＢが設けられている第１筐体１０１の右側側面が通話者の口元の方に向けられている。よって、この場合も、目的方向が通話者の口方向、非目的方向が通話者の口から離れた方向となるので、通話者の口から離れた方向からの雑音が除去されるとともに、通話者の声を感度良く捉えることができる。
このようにして、遅延を与えるマイクを切り替えることで、携帯電話端末をどちらの手で持つかによらず通話者の声の効率良い集音と雑音のキャンセルとが実現される。
【００３９】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本発明は、折畳み型の携帯電話端末に限らず、筐体が１つだけで構成されたいわゆるストレート型の携帯電話端末にも適用することができる。
【図面の簡単な説明】
【００４０】
【図１】本発明の一実施形態による携帯電話端末の外観図である。
【図２】本発明の第１の実施形態による携帯電話端末の内部構成を示すブロック図である。
【図３】差分演算部から出力される音声信号の音圧の角度（音の到来方向）依存性を示す図である。
【図４】通話時の携帯電話端末と通話者の顔との位置関係を説明する図である。
【図５】差分演算部から出力される音声信号の周波数特性を示した図である。
【図６】本発明の第２の実施形態による携帯電話端末の内部構成を示すブロック図である。
【図７】本発明の第３の実施形態による携帯電話端末の内部構成を示すブロック図である。
【符号の説明】
【００４１】
１Ａ，１Ｂ，１Ｃ…携帯電話端末  １１…マイクＡ  １２…マイクＢ  ２１，２２…遅延付与部  ３０…差分演算部  ４０…通信手段  ５０…回動検知部  ６０…制御部  １０１…第１筐体  １０２…第２筐体
【図１】
2009010593.tif 000003
【図２】
2009010593.tif 000004
【図３】
2009010593.tif 000005
【図４】
2009010593.tif 000006
【図５】
2009010593.tif 000007
【図６】
2009010593.tif 000008
【図７】
2009010593.tif 000009